(57)【特許請求の範囲】
【請求項１】
走行機体の前方に上下昇降可能なアームを突出し、該アームの先端より前方下方に延出する縦刃と、該縦刃の下端より側方に突出する横刃からなる正面視略Ｌ字状の掘起し刃を取り付けた構成において、縦刃を進行方向に対して横刃の張り出し方向と逆方向に向いて傾斜して配置したことを特徴とする自走式根菜収穫機の掘起し刃。
【発明の詳細な説明】
【０００１】
【産業上の利用分野】
本発明は、自走式根菜収穫機の作業部である掘起し装置の掘起し効率を上げると共に、掘起し刃を土中に差し込んだ状態で作業機体を効率良く旋回させる構成に関する。
【０００２】
【従来の技術】
従来、人参等の根菜収穫機として、メインフレームより突出した、鍬状の掘起し器にて根菜を土中より掘り起こし、該掘起し器の後部より延設した引抜コンベアのベルトにて根菜の葉部分を挟持して斜め上方に根菜を搬送し、途中部において葉部より根菜を切り離して根菜を収納容器に収納し、葉部を更に後方の葉部回収ボックスに回収する技術は、公知となっている。その際に、該掘起し装置の掘起し刃は前方下部に延出した縦方向のアームと、該縦方向のアームの前端部より側方に突出させた横刃からなり、正面視略Ｌ字状で鍬状に構成していた。また、該横刃は側面視後高に配して掘起し効率の向上を図っており、側面視後高に配した該横刃によって、掘起し作業を始める際に該掘起し刃を土中への潜り込みをスムーズにするようにしていた。
【０００３】
【発明が解決しようとする課題】
しかし、従来の技術において、掘起し刃の縦方向のアームは進行方向に対して平行に配設されていたので、進行方向の修正で作業機を旋回させる際に、横刃の突出する方向に旋回する場合には、該横刃によって土が掘り起こされているので容易に旋回することができるが、逆方向に旋回する場合には、掘り起こされていない土を押し退ける必要があるため、旋回し難い構成となっていた。
【０００４】
【課題を解決するための手段】
本発明が解決しようとする課題は以上の如くであり、次に該課題を解決するための手段を説明する。即ち、走行機体の前方に上下昇降可能なアームを突出し、該アームの先端より前方下方に延出する縦刃と、該縦刃の下端より側方に突出する横刃からなる正面視略Ｌ字状の掘起し刃を取り付けた構成において、縦刃を進行方向に対して横刃の張り出し方向と逆方向に向いて傾斜して配置した。
【０００５】
【作用】
上記のような手段を用いることによって本発明は、縦刃の傾斜によって、直進時に縦刃による掘起し効果が得られ、また、横刃のＬ字曲方向と逆向きへ縦刃が傾斜しているので、この傾斜による抵抗と横刃による抵抗がバランスされて直進性が向上し、旋回する際には、横刃突出方向へは、横刃の掘り起こしによって容易に旋回でき、反対方向へは、縦刃の傾斜による切り込みにより容易に旋回できる。
【０００６】
【実施例】
本発明の構成の実施例を添付の図面を用いて説明する。図１は本発明の掘起し刃を搭載する自走式根菜収穫機の側面図、図２は同じく平面図、図３は本発明の掘起し刃の斜視図、図４は同じく本発明の掘起し刃の平面図である。
【０００７】
図１、図２より自走式根菜収穫機の全体構成について説明する。まず、水平状のメインフレーム４０の下方に、クローラ走行装置４１・４１が配設されており、該メインフレーム４０の右側前方には操作部４２を配設し、該操作部４２に配置した操作レバーにより操向操作可能となっている。そして、該操作部４２の後方にエンジン室４３が配設されており、該エンジン室４３内にエンジンＥが内蔵されていて、該エンジン室４３上には運転席４４が配設されている。該クローラ走行装置４１・４１は前記エンジンＥよりミッションケースＭを介して動力が伝達されている。
【０００８】
そして、該メインフレーム４０の左側前方（反操作部４２側）より後方にかけて、根菜を掘取り、搬送し、葉部分を切除し、収容する一連の根菜収穫用の装置が列設されており、まず、前部より、土中の根菜を掘り上げるための掘起し装置Ａ、該掘起し装置Ａの後部より掘り上げた根菜の葉部分を挟持して搬送する引抜コンベアＢ、その略中央位置には葉部切断装置１０、その下方に載置コンベアＤを左右方向に配設し、該載置コンベアＤの側方に収納容器Ｆが搭載される。また、該載置コンベアＤの後方（引抜コンベアＢの後端部下方）には葉部投入ボックスＧを配設している。
【０００９】
以上のような一連の根菜収穫用装置の各装置について説明する。まず掘起し装置Ａより説明する。前記メインフレーム４０の前端部に昇降フレーム３０が立設され、該昇降フレーム３０の上端部に回動支点軸３１が設けられ、該回動支点軸３１にアーム３２・３２の後端部が枢支されている。そして更に、該アーム３２の前端部には、正面視略Ｌ字状に構成した鍬状の掘起し爪１の上端部が、上下位置調節可能に取付けられている。
【００１０】
そして、該アーム３２の後端には昇降アーム３３の一端が固定され、該昇降アーム３３の他端には油圧シリンダー３４のピストンロッドを枢結して、該油圧シリンダー３４の後端を該メインフレーム４０に枢結し、該油圧シリンダー３４を伸縮させることにより前記回動支点軸３１を中心にアーム３２が回動し、該掘起し爪１は該アーム３２に連動して昇降可能になる。
【００１１】
そして、前記引抜コンベアＢの構成は図１、図２に示す如く、搬送フレーム２０・２０を前後方向に左右平行状に配設し、搬送フレーム２０・２０の前後両端部にプーリー２１・２１・２２・２２を配し、これらプーリーに挟持ベルト２３・２３を巻回している。左右の後部のプーリー２１・２１の軸芯には回転軸が貫通されて、油圧モーター等からベベルギア、スプロケットやチェーンを介して動力を得て、該回転軸を互いに反対方向に回転駆動し、各プーリーを互いに逆回転して、前記挟持ベルト２３・２３を後方へ搬送駆動できるようにしている。
【００１２】
また、前記搬送フレーム２０・２０はメインフレーム４０から上方に突設した図示せぬ支持柱に回動自在に枢結され、前記油圧シリンダー３４によって該引抜コンベアＢを昇降させることができ、該引抜コンベアＢを葉の高さ等に合わせることができる。
【００１３】
また、引抜コンベアＢの前端部に、着脱可能にディバイダー２５を配設しており、該ディバイダー２５は、タイン２６・２６・・・を付設した駆動チェーンを収納する引上チェーンケース２７・２７を左右に配設し、根菜の葉部分が倒伏している場合に、該葉部分を引き上げて、該引抜コンベアＢにうまく受け継ぐための装置である。該引上チェーンケース２７・２７内のチェーンの駆動は、該引抜コンベアＢの、それぞれの前部プーリー２２・２２より伝動している。
【００１４】
また、該引抜コンベアＢの略後方には前記葉部切断装置１０を配設している。該葉部切断装置１０には葉部切断カッター１０ａが配されており、モーターにより回転している。該葉部切断装置１０は、前記搬送フレーム２０より下方に突出する取付ブラケット１１に固定される。該葉部切断装置１０の前方位置には、左右の該搬送フレーム２０・２０より下方に根菜ガイド１２・１２を吊設し、該根菜ガイド１２の前端を該搬送フレーム２０に固定し、該根菜ガイド１２の後端を前記葉部切断カッター１０ａの前方まで延設している。
【００１５】
従って、根菜を後方上方に搬送する途中において、左右の該根菜ガイド１２・１２の間を根菜の葉部が前記挟持ベルト２３に挟持されて後方に搬送されていき、次第に該挟持ベルト２３と該根菜ガイド１２との間隔が広くなっていくことで、根菜の頭部が該根菜ガイド１２の下面に当接し、根菜は該根菜ガイド１２・１２に沿って摺動して行き、該根菜ガイド１２・１２の後端部において前記葉部切断カッター１０ａにより、根菜葉部の一定位置を切断することができる。そして、切断された根菜は下方に配置する前記載置コンベアＤ上に落下し、葉部はそのまま該挟持ベルト２３に挟持され、該引抜コンベアＢの後端部まで搬送され、該後端部において葉部は下方に落下し、前記葉部投入ボックスＧに投入される。
【００１６】
そして、該載置コンベアＤは、左右位置に搬送ローラーを配設し、該搬送ローラーに載置ベルト１５を巻回し、油圧モーター等から動力を得て該搬送ローラーを回転させることで該載置ベルト１５を駆動している。該載置コンベアＣの右端部には収納容器Ｆが配されており、該収納容器Ｆに葉部を切断した根菜を収納している。
【００１７】
次に、本発明の前記掘起し装置Ａの掘起し刃１について図３、図４を用いて説明する。該掘起し刃１は、前記アーム３２・３２の先端部に固定した、固定板２に固定されており、該固定板２の前部には上下方向に複数個の孔部を開口している。一方、該掘起し爪１は縦刃１ａと横刃１ｂからなる正面視Ｌ字状であり、該縦刃１ａの上端部において前記固定板２の側面に当接する取付部１ｃを形設している。該取付部１ｃには、縦方向に複数の孔部１ｄ・１ｄ・・・を開口しており、前記固定板２の孔部に合わせて、ボルト・ナットを用いることで任意の高さ位置に調節可能に取り付けることができる。
【００１８】
また、該取付部１ｃの前部において、縦刃１ａは図４に示す如く前方右方向に向かって屈曲させて、進行方向に対して迎角度θを有するように配設している。該縦刃１ａの下端部には左水平方向に横刃１ｂを突出させ、該横刃１ｂは側面視後高になるように傾斜を持たせて配設している。
【００１９】
この様に構成したことで、掘起し刃１を土中に挿入させる際に、該横刃１ｂは傾斜を持たせてあるので容易に土中に挿入することができ、作業機を直進して収穫作業をする際には該傾斜に沿って土を上方に押し上げるので、根菜は掘り起こされて、前記引抜コンベアＢによって容易に引き抜くことができる。そして、直進時には縦刃１ａの傾斜による抵抗と横刃１ｂによる抵抗がバランスされて直進性がよく、作業機の進行方向を修正するために旋回するときには、左旋回（横刃１ｂの突出する方向に旋回）の場合には、該横刃１ｂにより掘り起こされた破砕部分を該縦刃１ａが通過するので、小さな負荷が該縦刃１ａにかかるだけであるが、逆方向の右旋回（横刃１ｂの配設されていない方向に旋回）の場合には、前記迎角θにより縦刃１ａが側面の土を切り込んで行くので容易に旋回できる。
【００２０】
尚、本実施例中においては、載置コンベアＤを介して根菜を収納容器に収納する構成にして、該載置コンベアＤにおいて、根菜を選別する過程を設けていたが、該載置コンベアＤを無くして、葉部切断装置１０の下方に収納容器Ｆを配置して、直接に根菜を収納する構成にしてもよい。また、前記固定板２に前部を「く」の字状に屈曲させて、該固定板２自身に迎角θを設け、該屈曲部に該掘起し刃１の縦刃１ａを取り付けることで、該縦刃１ａに迎角θを持たせる構成にしてもよい。
【００２１】
【発明の効果】
本発明は、上記のように構成したことにより、次のような効果を得る。即ち、横刃だけでなく縦刃によっても掘起し効果が得られるので効率的な掘起し作業を期待することができる。そして、横刃による掘起し効果の得られない側に旋回する際にも、縦刃自身が土中に切り込んでゆくので容易に旋回することができ、旋回する際に該掘起し爪を上昇させる等の操作をせずに旋回できる。また、縦刃が傾斜しているので、左右の進行方向に対する抵抗がバランスされて、従来横刃を突出した方向の抵抗が大きく、その方向に曲がり易かったが、本発明では右旋回と左旋回における旋回操作の差をなくすことができ、安定した操作を望むことができ、直進性も向上できた。
【図面の簡単な説明】
【図１】本発明の掘起し刃を採用した根菜収穫機の側面図である。
【図２】同じく本発明の掘起し刃を採用した根菜収穫機の平面図である。
【図３】本発明の掘起し刃の斜視図である。
【図４】本発明の掘起し刃の平面図である。
【符号の説明】
Ａ        掘起し装置
１        掘起し刃
１ａ      縦刃
１ｂ      横刃
３２      アーム
【図１】
0003545087.tif 000002
【図２】
0003545087.tif 000003
【図３】
0003545087.tif 000004
【図４】
0003545087.tif 000005